(57)【特許請求の範囲】
【請求項１】
弾球遊技機の遊技盤面に設置される変動入賞装置であって、
背面を前記遊技盤面に当接させてビス止めされる基板と、
遊技球を流入させるために前記基板に開口した流入口と、
遊技盤の背面側に向けて遊技球を排出する排出口を有し、前端を前記流入口に連通させて前記基板の背面に連設された通路筒と、
前記基板の前面に配されて上面にて遊技球を前記流入口へ誘導する導球板と、
前記導球板を間に置いて配され、互いに対面する起立状態と下端側を軸として互いに反対方向に倒れた開放状態とに変位する一対の球受け部材であって、前記起立状態では互いの間に遊技球１個が通過可能な受入通路を形成し上端側から該受入通路に流入した遊技球を前記導球板上に導き、開放状態では上方から落下する遊技球を受け止めて前記導球板上に導く球受け部材と、
該球受け部材を駆動して前記起立状態および開放状態に変位させるソレノイドであって、前記導球板及び前記球受け部材の下方且つ前記基板の前面側に配されたソレノイドと
を備える
ことを特徴とする変動入賞装置。
【請求項２】
請求項１記載の変動入賞装置において、
少なくとも前記ソレノイドの前面側を被覆する装飾部材を設けたことを特徴とする変動入賞装置。
【発明の詳細な説明】
【０００１】
【発明の属する技術分野】
本発明は、パチンコ機やアレンジボール式パチンコ機等の弾球遊技機において遊技盤面に設置される変動入賞装置に関する。
【０００２】
【従来の技術】
周知のように、パチンコ機等の弾球遊技機では、俗にチューリップと呼ばれる変動入賞装置を備えるものが多い。この種の変動入賞装置は、遊技盤の背面側に向けて遊技球を排出する排出口、互いに対面する起立状態と下端側を軸として互いに反対方向に倒れた開放状態とに変位し、起立状態では互いの間に遊技球１個が通過可能な受入通路を形成し上端側から受入通路に流入した遊技球を排出口側に導き、開放状態では上方から落下する遊技球を受け止めて排出口側に導く一対の球受け部材および球受け部材を駆動して起立状態および開放状態に変位させるソレノイドを備えている。
【０００３】
【発明が解決しようとする課題】
従来の変動入賞装置においては、ソレノイドは、変動入賞装置の背面側（遊技盤側）に配されていた。つまり、遊技盤側に配される部品が多く、それらの部品が占める容積も大きかった。また、これら背面側の部品は、遊技盤をくり抜いて設けられる空間内や遊技盤の背面側に配置されていたので、変動入賞装置の取付作業、特に遊技盤の背面側の作業が複雑となったり、遊技盤の加工（穴あけ等）が複雑となる等の問題もあった。
【０００４】
【課題を解決するための手段】
上記課題を解決するための手段として、請求項１記載の変動入賞装置は、弾球遊技機の遊技盤面に設置される変動入賞装置であって、
背面を前記遊技盤面に当接させてビス止めされる基板と、
遊技球を流入させるために前記基板に開口した流入口と、
遊技盤の背面側に向けて遊技球を排出する排出口を有し、前端を前記流入口に連通させて前記基板の背面に連設された通路筒と、
前記基板の前面に配されて上面にて遊技球を前記流入口へ誘導する導球板と、
前記導球板を間に置いて配され、互いに対面する起立状態と下端側を軸として互いに反対方向に倒れた開放状態とに変位する一対の球受け部材であって、前記起立状態では互いの間に遊技球１個が通過可能な受入通路を形成し上端側から該受入通路に流入した遊技球を前記導球板上に導き、開放状態では上方から落下する遊技球を受け止めて前記導球板上に導く球受け部材と、
該球受け部材を駆動して前記起立状態および開放状態に変位させるソレノイドであって、前記導球板及び前記球受け部材の下方且つ前記基板の前面側に配されたソレノイドと
を備える
ことを特徴とする。
【０００５】
したがって、球受け部材を駆動するための機構（ソレノイドおよびソレノイドの駆動力を球受け部材に伝達するための部材など）のすべてを、基板の前面側に集中させることができる。すると、遊技盤側には排出口だけを設ければよいことになり、基板の背面側に配される部品は排出口を有する通路筒だけですむ。
【０００６】
したがって、基板の背面側すなわち遊技盤側に配される部材が占める容積はきわめて小さくなり、変動入賞装置の取付作業、特に遊技盤の背面側の作業がきわめて単純になる。また、遊技盤には、通路筒を受け入れ、また排出口から排出された遊技球の通路ともなる穴だけを設ければよいから、遊技盤の加工（穴あけ等）も単純になる。
【０００７】
なお、ソレノイドを前面側に配した分だけ前面側の容積が大きくなるが、球受け部材の直下部分は、従来でも遊技球の進路としてはほとんど使用されないデッドゾーンとなっていたから、ソレノイドの配置に伴う不都合はほとんど発生しない。
【０００８】
請求項２記載の変動入賞装置は、請求項１記載の変動入賞装置において、少なくとも前記ソレノイドの前面側を被覆する装飾部材を設けたことを特徴とする。このようにすれば、ソレノイドが前面側に配されたことによる違和感を遊技者に与えることを回避でき、装飾効果も高まる。
【０００９】
【発明の実施の形態】
次に、本発明の二つの実施例を図面を参照して説明することにより、発明の実施の形態を説明する。
【００１０】
【実施例１】
図１に示すように、本実施例の変動入賞装置１０は、通路筒１２を遊技盤１４の保持穴１６に嵌合させ、通路筒１２に連接する基板１８のビス穴２０にてビス止めされることによって遊技盤１４に取り付けられる。なお、遊技盤１４には、排出口２２から排出される遊技球を導くための樋などが設けられる。
【００１１】
基板１８の前面側には、ソレノイド２４を収容するための箱状部２６が取り付けられており、その前面板２８には着色、装飾が施され内部を見透すことはできない（ただし、説明の都合上、透視状態で図示している。）。箱状部２６の内側には、通路筒１２の底面とほぼ整合する位置に導球板３０が設けられており、前面板２８の上端部３２は導球板３０の上方にまで延出されている。
【００１２】
また、前面板２８の背面には、一対の軸３４、３４が立設されており、それぞれの軸３４は、互いに鏡像となる形状の球受け部材３６、３８を回動可能に軸支している。球受け部材３６、３８は、略台形状の掛穴４０、４２を備えており、その掛穴４０、４２には、駆動腕４４、４４の先端４６、４６が挿入されている。また、駆動腕４４、４４は基部４８にて互いに連結され、基部４８は、ソレノイド２４のプランジャ５０に取り付けられている。
【００１３】
ソレノイド２４は、消磁状態ではプランジャ５０を上昇位置（図１（ａ）右半部参照）にし、励磁状態ではプランジャ５０を下降位置（図１（ａ）左半部参照）にする構造である。このため、ソレノイド２４を消磁した際には、駆動腕４４が上昇して球受け部材３６、３８を突き上げるようにして起立状態とさせ、ソレノイド２４を励磁すると、駆動腕４４が下降して球受け部材３６、３８を引き下げるようにして開放状態とさせる。
【００１４】
球受け部材３６、３８は、起立状態とされた際には互いに対面する位置となって、両者間には遊技球１個分をわずかに上回る幅の受入通路５２が形成される。このときに、球受け部材３６、３８の上端側から受入通路５２に遊技球が流入すると、その遊技球は、導球板３０によって通路筒１２内に導かれ、通路筒１２を通り、排出口２２から遊技盤１４の背面側に放出される。また、球受け部材３６、３８は、開放状態とされた際には、上方から落下してくる遊技球を受け止めて、導球板３０に向けて導き入れる。導球板３０に達した遊技球は、上述と同様の経路で遊技盤１４の背面側に導かれて放出される。このような球受け部材３６、３８の変位とそれによる遊技球の導き動作は従来のチューリップ型の変動入賞装置と同様である。
【００１５】
しかしながら、本実施例の変動入賞装置１０においては、ソレノイド２４を球受け部材３６、３８の下方且つ遊技盤１４の前面側に配しているので、球受け部材３６、３８を駆動するためのソレノイド２４および駆動腕４４、４４等を、遊技盤１４の前面側に集中させることができる。そして、遊技盤１４側には排出口２２を有する通路筒１２だけが配されている。
【００１６】
このような構造を採用したことにより、変動入賞装置１０の遊技盤１４側に配される部材（この例では通路筒１２）が占める容積はきわめて小さくなっている。また、通路筒１２部分を遊技盤１４の前面側から保持穴１６に嵌合させ、基板１８をビス止めするだけで変動入賞装置１０を遊技盤１４に取付けできるから、その取付作業はきわめて簡単である。しかも、遊技盤１４の背面側での作業は事実上必要としない。さらに、遊技盤１４には、通路筒１２を受け入れるための保持穴１６だけを設ければよいから、遊技盤１４の加工（穴あけ等）も単純になる。
【００１７】
【実施例２】
この実施例は、ソレノイドの駆動力を球受け部材に伝達するための部材として梃子を使用する例である。
図２に示すように、この実施例の変動入賞装置６０は、通路筒６２を遊技盤１４の保持穴１６に嵌合させ、通路筒６２に連接する基板６４のビス穴６６にてビス止めされることによって遊技盤１４に取り付けられる。これらの点は実施例１と同様であるが、通路筒６２の上半部が途中で切り欠かれていて、排出口６８が保持穴１６内に位置する点で実施例１と異なっている。なお、遊技盤１４に、排出口６８から排出される遊技球を導くための樋などが設けられる。
【００１８】
基板６４の前面側には、ソレノイド７０を収容するための箱状部７２が取り付けられており、その前面板７４には着色、装飾が施され内部を見透すことはできない（ただし、説明の都合上、透視状態で図示している。）。箱状部７２の内側には、通路筒６２の底面とほぼ整合する位置に導球板７６が設けられており、前面板７４の上端部７８は導球板７６の上方にまで延出されている。
【００１９】
また、前面板７４の背面には、一対の軸８０、８０が立設されており、それぞれの軸８０は、互いに鏡像となる形状の球受け部材８２、８４を回動可能に軸支している。球受け部材８２、８４は、略台形状の掛穴８６、８８を備えており、その掛穴８６、８８には、駆動腕９０、９０の先端９２、９２が挿入されている。また、駆動腕９０、９０の基部９４、９４は、前面板７４に立設された軸９６、９６により回動可能に軸支され、係合突起９８、９８は、ソレノイド７０のプランジャ１００の先端のＵ部材１０２に係合されている。
【００２０】
ソレノイド７０は、消磁状態ではプランジャ１００を上昇位置（図２（ａ）右半部参照）にし、励磁状態ではプランジャ１００を下降位置（図２（ａ）左半部参照）にする構造である。このため、ソレノイド７０を消磁した際には、駆動腕９０が上向きに揺動して球受け部材８２、８４を突き上げるようにして起立状態とさせ、ソレノイド７０を励磁すると、駆動腕９０が下向き揺動して球受け部材８２、８４を引き下げるようにして開放状態とさせる。
【００２１】
駆動腕９０が軸９６を支点、係合突起９８を力点、先端９２を作用点とする梃子になっているので、この起立、開放動作にあたってのプランジャ１００のストロークを、実施例１の構造よりも短くできる。
球受け部材８２、８４は、起立状態とされた際には互いに対面する位置となって、両者間には遊技球１個分をわずかに上回る幅の受入通路１０４が形成される。このときに、球受け部材８２、８４の上端側から受入通路１０４に遊技球が流入すると、その遊技球は、導球板７６によって通路筒６２内に導かれ、排出口６８を出てからも通路筒６２の下半部によって誘導されて移動し、遊技盤１４の背面側に放出される。また、球受け部材８２、８４は、開放状態とされた際には、上方から落下してくる遊技球を受け止めて、導球板７６に向けて導き入れる。導球板７６に達した遊技球は、上述と同様の経路で遊技盤１４の背面側に導かれて放出される。このような球受け部材８２、８４の変位とそれによる遊技球の導き動作は、従来のチューリップ型の変動入賞装置と同様である。
【００２２】
しかしながら、本実施例の変動入賞装置６０においては、ソレノイド７０を球受け部材８２、８４の下方且つ遊技盤１４の前面側に配しているので、球受け部材８２、８４を駆動するためのソレノイド７０および駆動腕９０、９０等を、遊技盤１４の前面側に集中させることができる。そして、遊技盤１４側には排出口６８を有する通路筒６２だけが配されている。
【００２３】
このような構造を採用したことにより、変動入賞装置６０の遊技盤１４側に配される部材（この例では通路筒６２）が占める容積はきわめて小さくなっている。また、通路筒６２部分を遊技盤１４の前面側から保持穴１６に嵌合させ、基板６４をビス止めするだけで変動入賞装置６０を遊技盤１４に取付けできるから、その取付作業はきわめて簡単である。しかも、遊技盤１４の背面側での作業は事実上必要としない。さらに、遊技盤１４には、通路筒６２を受け入れるための保持穴１６だけを設ければよいから、遊技盤１４の加工（穴あけ等）も単純になる。
【００２４】
また、上述したように、駆動腕９０を梃子としているので、プランジャ１００のストロークを短くすることもできる。
以上、二つの実施例に従って、本発明の実施の形態について説明したが、本発明はこのような実施例に限定されるものではなく、本発明の要旨を逸脱しない範囲でさまざまに実施できることは言うまでもない。
【００２５】
【発明の効果】
以上説明したように、請求項１記載の変動入賞装置によれば、遊技盤側に配される部材が占める容積はきわめて小さくなり、変動入賞装置の取付作業、特に遊技盤の背面側の作業がきわめて単純になる。また、遊技盤には、通路筒を受け入れ、また排出口から排出された遊技球の通路ともなる穴だけを設ければよいから、遊技盤の加工（穴あけ等）も単純になる。
【００２６】
請求項２記載の変動入賞装置によれば、ソレノイドが前面側に配されたことによる違和感を遊技者に与えることを回避でき、装飾効果も高まる。
【図面の簡単な説明】
【図１】  実施例１の変動入賞装置の構造の説明図であり、図１（ａ）は起立状態と開放状態とを示す正面説明図、図１（ｂ）は断面説明図である。
【図２】  実施例２の変動入賞装置の構造の説明図であり、図２（ａ）は起立状態と開放状態とを示す正面説明図、図２（ｂ）は断面説明図である。
【符号の説明】
１０、６０・・・変動入賞装置、１２、６２・・・通路筒、１４・・・遊技盤、１６・・・保持穴、１８、６４・・・基板、２０、６６・・・ビス穴、２２、６８・・・排出口、２４、７０・・・ソレノイド、２６、７２・・・箱状部、２８、７４・・・前面板（装飾部材）、３０、７６・・・導球板、３２、７８・・・上端部、３４、８０・・・軸、３６、３８、８２、８４・・・球受け部材、４０、４２、８６、８８・・・掛穴、４４、９０・・・駆動腕、４６、９２・・・先端、４８、９４・・・基部、５０、１００・・・プランジャ、５２、１０４・・・受入通路、９６・・・軸、９８・・・係合突起、１０２・・・Ｕ部材。
【図１】
0004062553.tif 000002
【図２】
0004062553.tif 000003